(57)【要約】【課題】粉粒物を少量ずつ精度良く流出させることができると共に、残った粉粒物を容易に回収することができ、且つ回収した粉粒物を再度スムーズに流出させることのできる粉粒物容器を提供する。【解決手段】容器本体１１と、本体キャップ１２とを備え、流出スパウト１３の先端流出部１３ａから粉粒物を流出させる粉粒物容器であって、本体キャップ１２は、天面部１７を凹状に陥没させて形成された回収用凹部１８と、回収用凹部１８の開口周縁部１８ｃから上方に突出する流出スパウト１３とを備える。流出スパウト１３は、略コの字状の部分を含んだ横断面形状を有していて、横断面形状の切欠き部分１３ｂを回収用凹部１８の中心側に向けて配置して設けられている。切欠き部分１３ｂは、回収用凹部１８の周面に沿わせてこれの下部まで連続して設けられていることで、回収用凹部１８に回収された粉粒物の流出合流開口部２１を形成する。【選択図】図１
2014005019.tif 000002
【特許請求の範囲】
【請求項１】
粉粒物を収容した容器本体と、該容器本体の口首部に装着された本体キャップとを備え、前記容器本体と連通して前記本体キャップに設けられた流出スパウトの先端流出部から粉粒物を流出させる粉粒物容器であって、
前記本体キャップは、天面部を凹状に陥没させて形成された回収用凹部と、該回収用凹部の開口周縁部から上方に突出して設けられた前記流出スパウトとを含んで形成されており、
前記流出スパウトは、略Ｕ字状、略Ｖ字状、又は略コの字状の横断面形状を有していて、横断面形状の切欠き部分を前記回収用凹部の上端開口面の中心側に向けて配置して設けられており、前記切欠き部分は、前記回収用凹部の周面に沿わせて前記回収用凹部の下部に至るまで連続して設けられていることで、前記回収用凹部に回収された粉粒物の流出合流開口部を形成している粉粒物容器。
【請求項２】
前記本体キャップに着脱可能に装着される計量キャップを備えており、該計量キャップは、計量筒部と、該計量筒部の外側にこれと同心状に配置された装着壁部とを含んで形成されており、前記本体キャップに装着された状態で、前記計量筒部の外周面によって前記切欠き部分による前記流出合流開口部を閉塞すると共に、前記計量筒部と前記装着壁部との間の天面部の内側面を前記流出スパウトの先端部に密着させて、前記流出スパウトの先端流出部を閉塞する請求項１記載の粉粒物容器。
【請求項３】
前記計量キャップの前記天面部には、前記計量筒部と前記装着壁部との間の部分に、これらと同心状に配置された環状リブが、内側面から突出して設けられており、前記計量キャップが前記本体キャップに装着された状態で、前記流出スパウトの先端部が、前記計量筒部と前記環状リブとの間に挟まれた状態で前記天面部に密着する請求項２記載の粉粒物容器。
【発明の詳細な説明】
【技術分野】
【０００１】
本発明は、粉粒物容器に関し、特に、粉粒物を収容した容器本体と、容器本体の口首部に装着された本体キャップとを含む粉粒物容器に関する。
【背景技術】
【０００２】
粉状の洗剤や顆粒状の洗剤等の粉粒物は、計量スプーンを付属品とした箱状の容器に収容されて用いられるのが一般的であったが、箱状の容器に収容された粉粒物を計量スプーンでその都度掬い取って、例えば洗濯機や自動食器洗浄機に投入する作業に煩わしさを感じやすく、また計量スプーンに付着した粉粒物によって手や指を汚しやすい。このようなことから、これらの粉粒物を例えばボトル形状の容器本体に収容して、これの先端流出口から直接、或いは計量キャップで計量した後に、粉粒物を洗濯機や自動食器洗浄機等に投入できるようにした粉粒物容器が種々開発されている（例えば、特許文献１参照）。
【０００３】
特許文献１の粉粒物容器では、キャップ基部の天面部中央から起立して設けられた略切頭円錐形状の先細の吐出部の先端流出口から、容器本体に収容された粉粒物を、計量キャップや洗濯機の投入口等に向けて、少量ずつ精度良く流出させることができるが、先端流出口が先細となっているので、例えば計量キャップに残った粉粒物を回収し難い。
【０００４】
これに対して、容器本体の口首部に、当該口首部の上端開口面と略同様の大きさの上端開口面を備える中栓を装着して、これらの上端開口面を介して粉粒物を回収しやすくすると共に、容器本体から粉粒物を流出させる際の流出量の調整は、容器本体の口首部の内側に配置される部分の中栓に設けられた、流量調節流路又はガイド壁部や、或いは中栓の上端開口面に沿って上方に張り出して設けられた誘導部を介して行えるようにした粉粒物容器が開発されている（例えば、特許文献１、特許文献２参照）。
【先行技術文献】
【特許文献】
【０００５】
【特許文献１】特開２００７−１６８７９５号公報
【特許文献２】特表２００８−５０９８５９号公報
【特許文献３】特開２０１１−８８６４５号公報
【発明の概要】
【発明が解決しようとする課題】
【０００６】
しかしながら、上記特許文献２や特許文献３の粉粒物容器では、中栓に設けられた流量調節流路又はガイド壁部や、或いは誘導部によって、容器本体から流出する粉粒物の幅や量をある程度効果的に制御できる一方で、計量キャップや洗濯機の投入口等に向けて、粉粒物を少量ずつ精度良く流出させることは難しい。
【０００７】
本発明は、容器本体に収容された粉粒物を少量ずつ精度良く流出させることができると共に、使用されずに残った粉粒物を容易に回収することができ、且つ回収した粉粒物を再度スムーズに流出させることのできる粉粒物容器を提供することを目的とする。
【課題を解決するための手段】
【０００８】
本発明は、粉粒物を収容した容器本体と、該容器本体の口首部に装着された本体キャップとを備え、前記容器本体と連通して前記本体キャップに設けられた流出スパウトの先端流出部から粉粒物を流出させる粉粒物容器であって、前記本体キャップは、天面部を凹状に陥没させて形成された回収用凹部と、該回収用凹部の開口周縁部から上方に突出して設けられた前記流出スパウトとを含んで形成されており、前記流出スパウトは、略Ｕ字状、略Ｖ字状、又は略コの字状の横断面形状を有していて、横断面形状の切欠き部分を前記回収用凹部の上端開口面の中心側に向けて配置して設けられており、前記切欠き部分は、前記回収用凹部の周面に沿わせて前記回収用凹部の下部に至るまで連続して設けられていることで、前記回収用凹部に回収された粉粒物の流出合流開口部を形成している粉粒物容器を提供することにより、上記目的を達成したものである。
【発明の効果】
【０００９】
本発明の粉粒物容器によれば、容器本体に収容された粉粒物を少量ずつ精度良く流出させることができると共に、使用されずに残った粉粒物を容易に回収することができ、且つ回収した粉粒物を再度スムーズに流出させることができる。
【図面の簡単な説明】
【００１０】
【図１】本発明の好ましい一実施形態に係る粉粒物容器の、（ａ）は計量キャップを取り付けた状態の斜視図、（ｂ）は計量キャップを取り外した状態の斜視図である。
【図２】本発明の好ましい一実施形態に係る粉粒物容器の構成を説明する、（ａ）は計量キャップを取り付けた状態の要部断面図、（ｂ）は計量キャップを取り外した状態の要部断面図である。
【図３】（ａ）は本体キャツプの斜視図、（ｂ）は本体キャツプの上面図である。
【図４】計量キャップを逆さまにして計量可能な状態で示す斜視図である。
【図５】計量キャップによって流出スパウトを閉塞した状態を説明する、計量キャップを透視して示す部分斜視図である。
【発明を実施するための形態】
【００１１】
図１（ａ）、（ｂ）に示す本発明の好ましい一実施形態に係る粉粒物容器１０は、粉粒物として、例えば粉状の洗剤や顆粒状の洗剤が容器本体１１に収容されており、容器本体１１の上端部に装着された本体キャップ１２の上方に突出して設けられた、流出スパウト１３の先端部の細い先端流出部１３ａから、粉粒物を所望の少量づつ流出させて、好ましくは計量キャップ１４によって精度良く計量した後に、洗濯機や自動食器洗浄機等に投入できるようにするものである。また、本実施形態の粉粒物容器１０は、使用されずに計量キャップ１４に残った粉粒物を、容易に回収できるようにすると共に、回収された粉粒物を、好ましくは新たに容器本体１１から粉粒物を流出する際に、流出スパウト１３を通過する粉粒物に合流させて、再度スムーズに流出させることができるようにする機能を備える。
【００１２】
そして、本実施形態の粉粒物容器１０は、図２（ａ）、（ｂ）及び図３（ａ）、（ｂ）にも示すように、粉粒物を収容した容器本体１１と、容器本体１１の口首部１１ａに装着された本体キャップ１２とを備え、容器本体１１の内部と連通して本体キャップ１２に設けられた流出スパウト１３の先端流出部１３ａから粉粒物を流出させる粉粒物容器であって、本体キャップ１２は、天面部１７を凹状に陥没させて形成された回収用凹部１８と、この回収用凹部１８の開口周縁部１８ｃから上方に突出して設けられた流出スパウト１３とを備えている。流出スパウト１３は、略コの字状の横断面形状をしていて、コの字の切欠き部分１３ｂが回収用凹部１８の上端開口面の中心側に向くように設けられており、切欠き部分１３ｂは、回収用凹部１８の周面に沿わせて回収用凹部１８の下部、具体的には凹部１８の底板部２０に至るまで連続して設けられていることで、回収用凹部１８に回収された粉粒物の流出合流開口部２１を形成している。
【００１３】
また、本実施形態では、本体キャップ１２に着脱可能に装着される計量キャップ１４を備えており、計量キャップ１４は、計量筒部１５と、計量筒部１５の外側にこれと同心状に配置された装着壁部１６とを含んで形成されており、本体キャップ１２に装着された状態で、計量筒部１５の外周面によって切欠き部分１３ｂによる流出合流開口部２１を閉塞すると共に、計量筒部１５と装着壁部１６との間の天面部１９の内側面を流出スパウト１３の先端部に密着させて、流出スパウト１３の先端流出部１３ａを閉塞するようになっている（図２（ａ）、図５参照）。
【００１４】
さらに、本実施形態では、計量キャップ１４の天面部１９には、計量筒部１５と装着壁部１６との間の部分に、これらと同心状に配置された環状リブ２２が、内側面から突出して設けられており（図２（ｂ）、図４、図５参照）、計量キャップ１４が本体キャップ１２に装着された状態で、流出スパウト１３の先端部が、計量筒部１５と環状リブ２２との間に挟まれた状態で天面部１９に密着するようになっている。
【００１５】
本実施形態では、容器本体１１は、好ましくは合成樹脂製の成形品であって、図１（ａ）、（ｂ）に示すように、例えば直径が５０ｍｍ程度、高さが２００ｍｍ程度の大きさの、上部に向けてその直径が徐々に小さくなった、有底の略円筒形状を備えており、手で把持して操作し易い形状となっている。容器本体１１は、図２（ａ）、（ｂ）にも示すように、粉粒物が収容される胴部１１ｂと、胴部１１ｂの上端部から肩部１１ｃを介在させて上方に突出する口首部１１ａとからなる。口首部１１ａの外周面には、例えば螺合凸条１１ｄが設けられており、この螺合凸条１１ｄに、本体キャップ１２の装着スカート壁１２ａの内周面に形成された螺合凸条１２ｄを螺合することで、本体キャップ１２が、口首部１１ａ及びこれの上端開口面を覆った状態で、容器本体１１の口首部１１ａに一体として装着固定される。
【００１６】
本体キャップ１２は、好ましくは合成樹脂製の成形品であって、図２（ａ）、（ｂ）、及び図３（ａ）、（ｂ）に示すように、天面部１７を構成する円環帯板形状の周縁部天面板１２ｂによって周囲を囲まれる内側の円形領域が、凹状に陥没した回収用凹部１８となっている、円環略ドーナツ形状に形成されている。本体キャップ１２には、周縁部天面板１１ａから下方に延設して、外側段差スカート壁１２ｃと、装着スカート壁１２ａと、回収用凹部１８の傾斜壁部１８ａとが、３重壁を形成して設けられている。
【００１７】
外側段差スカート壁１２ｃは、周縁部天面板１２ｂの外側周縁部から連続して下方に延びる部分であり、上部小径部１２ｅと、段差部１２ｆを介在させて上部小径部１２ｅからさらに下方に延びている、下部大径部１２ｇとからなる。上部小径部１２ｅの外周面には、公知の係着突部１２ｈが設けられている。この係着突部１２ｈに、計量キャップ１４の装着壁部１６の下端部内周面に設けられた係止部１６ａ（図２（ｂ）、図４参照）を、回転させながら係着することで、装着壁部１６の下端を段差部１２ｆに当接させると共に、装着壁部１６の外周面を下部大径部１２ｇの外周面と面一に配置した状態で、計量キャップ１４を本体キャップ１２に着脱可能に容易に装着することができる（図２（ａ）参照）。また、下部大径部１２ｇは、装着スカート壁１２ａを介して本体キャップ１２が容器本体１１の口首部１１ａに一体として装着固定された際に、計量キャップ１４の装着壁部１６の外周面と共に、その外周面が容器本体１１の胴部１１ｂと面一に配置されて、非使用時における粉粒物容器１０の美観を向上させている。
【００１８】
装着スカート壁１２ａは、周縁部天面板１２ｂの中間部分の内側面から連続して下方に延設する部分であり、その内周面に、螺合凸条１２ｄが設けられている。装着スカート壁１２ａは、容器本体１１の口首部１１ａの外周面に沿って装着されて、螺合凸条１２ｄを口首部１１ａの外周面に設けられた螺合凸条１１ｄに係止すると共に、装着スカート壁１２ａの下端が容器本体１１の肩部１１ｃに当接するまで回転させて締め付けるとことで、本体キャップ１２を容器本体１１の口首部１１ａに強固に装着固定することができる。
【００１９】
回収用凹部１８の傾斜壁部１８ａは、周縁部天面板１２ｂの内側周縁部から上部垂直壁１２ｉを介在させて下方に延びる部分であり、回収用凹部１８の中心側に向けて斜め下方に湾曲しながら傾斜した状態で設けられている。この傾斜壁部１８ａの下端部から連続して、回収用凹部１８の密着筒状部１８ｂが一体として設けられている。また、この傾斜壁部１８ａの部分において、後述する流出スパウト１３が、回収用凹部１８の開口周縁部１８ｃから上方に起立して、その先端部分を容器本体１１と一体となった本体キャップ１２の上方に突出させて設けられている。
【００２０】
密着筒状部１８ｂは、本実施形態では、回収用凹部１８の下半部を構成する円筒状の部分であって、傾斜壁部１８ａの下方に連続して、回収用凹部１８の上端開口面より縮径した状態で設けられる。密着筒状部１８ｂは、計量キャップ１４の計量筒部１５の外径と同様の内径を備えると共に、底部の開口面を覆うようして、底板部２０が設けられている。計量キャップ１４を本体キャップ１２に装着した際に、密着筒状部１８ｂには、計量筒部１５の先端側部分１５ａが、これの外周面を内周面に密着させると共に、先端が底板部２０に当接するまで挿入される。また、密着筒状部１８ｂには、傾斜壁部１８ａから立設する流出スパウト１３の切欠き部分１３ｂの下方に連続して、帯状開口部１８ｄが、好ましくは底板部２０に至まで延設している。これらの連続する流出スパウト１３の切欠き部分１３ｂと密着筒状部１８ｂの帯状開口部１８ｄとによって、流出合流開口部２１が形成されている。
【００２１】
回収用凹部１８の底部に底板部２０が設けられていることにより、本体キャップ１２に計量キャップ１４を装着した際に、計量キャップ１４に残った粉粒物を、底板部２０によって受けた状態で容器本体１１に回収することが可能になる。流出スパウト１３の切欠き部分１３ｂの下方に連続して、回収用凹部１８の下部に到る帯状開口部１８ｄが形成されていることにより、底板部２０で受けた状態で回収された粉粒物を、次に計量キャップ１４を取り外して粉粒物を流出スパウト１３から流出させる際に、流出スパウト１３を通過する粉粒物の流れに、流出合流開口部２１を介してよりスムースに流入させて、これらの粉粒物と共に、回収された粉粒物を流出スパウト１３の先端流出部１３ａから容易に流出させることが可能になる。帯状開口部１８ｄ（流出合流開口部２１）は、底板部２０まで到ることなく密着筒状部１８ｂの途中まで形成されていれば良いが、底板部２０に到るまで形成されていることにより、底板部２０で受けた状態で回収された粉粒物を、流出スパウト１３を通過する粉粒物の流れに、さらにスムースに流入させることが可能になる。
【００２２】
回収用凹部１８の傾斜壁部１８ａから立設して設けられた流出スパウト１３は、本実施形態では、略Ｕ字状、略Ｖ字状、又は略コの字状の部分を含んだ横断面形状として、図３（ａ）、（ｂ）に示すように、略コの字状の部分の開放側の両端部から内側に略垂直に折れ曲がった一対の折曲り片部１３ｅを備える、一方の長辺部の中央部分を切り欠いた略矩形の横断面形状を有している。流出スパウト１３は、略矩形の横断面形状の一方の長辺部の中央部分を切り欠いて形成された切欠き部分１３ｂを、回収用凹部１８の上端開口面の中心側に向けて配置すると共に、切欠き部分１３ｂとは反対側の他方の長辺部による閉塞側部分１３ｃを、回収用凹部１８の上端開口面の開口周縁部１８ｃに沿って配置した状態で立設している。また、流出スパウト１３は、傾斜壁部１８ａとの接合基端部分から先端流出部１３ａに向けて、その断面の大きさを徐々に縮小させた状態で設けられている。さらに、流出スパウト１３の切欠き部分１３ｂの両側の一対の折曲り片部１３ｅは、回収用凹部１８の上端開口面の中心側の面が密着筒状部１８ｂの内周面と面一になるように、当該密着筒状部１８ｂの内周面と同様の曲率で湾曲した状態で設けられている。
【００２３】
流出スパウト１３が、傾斜壁部１８ａとの接合基端部分から先端流出部１３ａに向けて、断面の大きさを徐々に縮小させて設けられていることにより、適度な開口面積の細い先端流出部１３ａを、流出スパウト１３の先端部に形成することができると共に、流出部１３ａに向けて粉粒物の流れを適度に絞った状態で、所望の流量で粉粒物を、効率良く流出部１３ａから流出させることが可能になる。流出スパウト１３における回収用凹部１８の中心側に切欠き部分１３ｂが形成されていることにより、容器本体１１の内部との空気置換が容易になされることになる。また底板部２０で受けた状態で回収された粉粒物を、流出スパウト１３を通過する粉粒物の流れにスムースに流入させて、流出スパウト１３の先端流出部１３ａから容易に流出させることが可能になる。流出スパウト１３の切欠き部分１３ｂの両側の一対の折曲り片部１３ｅにおける回収用凹部１８の中心側の面を、密着筒状部１８ｂの内周面と面一になるような曲率で湾曲させて設けたことにより、計量キャップ１４を本体キャップ１２に装着した際に、計量筒部１５の外周面を折曲り片部１３ｅにおける回収用凹部１８の中心側の面に容易に密着させて、切欠き部分１３ｂを効果的に閉塞することが可能になる。
【００２４】
本実施形態では、計量キャップ１４は、好ましくは透明な合成樹脂製の成形品であって、図２（ａ）、（ｂ）、及び図４に示すように、円形の天面部１９と、湾曲面取り部１９ａを介在させて天面部１９の周縁部から下方に連続して円筒形状に設けられた装着壁部１６と、装着壁部１６の内側に同心状に配置されると共に、天面部１９の内側面から下方に突出して円筒形状に設けられた計量筒部１５と、計量筒部１５と装着壁部１６との間の部分においてこれらと同心状に配置されると共に、天面部１９の内側面から下方に僅かに突出して円環状に設けられた環状リブ２２とからなる。装着壁部１６の下端部内周面には、上述のように、係止部１６ａが設けられており、これを本体キャップ１２の外側段差スカート壁１２ｃに設けられた係着突部１２ｈ（図１（ｂ）参照）に係着することで、容器本体１１の口首部１１ａに一体として装着固定された本体キャップ１２に、計量キャップ１４を着脱可能に容易に装着することができる。計量筒部１５には、複数の計量目盛り線２３が、周方向に延設して設けられており、計量キャップ１４の計量筒部１５による粉粒物の計量を、さらに精度良く行うことができるようになっている。
【００２５】
計量キャップ１４は、容器本体１１と一体となった本体キャップ１２から取り外して、計量筒部１５の先端開口面を上方に向けて逆さまにした状態（図４参照）で、流出スパウト１３の先端流出部１３ａから計量筒部１５に粉粒物を流出させて計量した後に、計量後の粉粒物を計量筒部１５から洗濯機や自動食器洗浄機等に投入して、粉粒物である洗剤を所定量ずつ使用できるようにする。計量キャップ１４は、本体キャップ１２と一体となった本体キャップ１２に装着された際に、図２（ａ）及び図５に示すように、計量筒部１５の先端側部分１５ａを、回収用凹部１８の密着筒状部１８ｂに挿入配置して、計量筒部１５の外周面を、密着筒状部１８ｂの内周面、及びこれと面一に連続する流出スパウト１３の一対の折曲り片部１３ｅにおける回収用凹部１８の中心側の面に密着させることで、流出スパウト１３の切欠き部分１３ｂと、これの下方に連続する密着筒状部１８ｂの帯状開口部１８ｄとによる流出合流開口部２１を閉塞することができる。また、計量筒部１５と環状リブ２２との間の部分の天面部１９を流出スパウト１３の先端部に密着させることで、流出スパウト１３の先端流出部１３ａを閉塞することができる。
【００２６】
そして、上述の構成を備える本実施形態の粉粒物容器１０によれば、容器本体１１に収容された粉粒物を少量ずつ精度良く流出させることができると共に、使用されずに残った粉粒物を容易に回収することができ、且つ回収した粉粒物を再度スムーズに流出させることができる。
【００２７】
すなわち、本実施形態によれば、計量後に計量キャップ１４を本体キャップ１２に装着した際に、計量筒部１５の少なくとも先端側部分１５ａが、回収用凹部１８の密着筒状部１８ｂに挿入配置されるので、計量筒部１５に残った粉粒物を回収用凹部１８に容易に回収することが可能になる。また、流出スパウト１３の先端部分は、容器本体１１と一体となった本体キャップ１２の回収用凹部１８の開口周縁部１８ｃから上方に突出して、先端流出部１３ａを細い適度な開口面積で開口させているので、容器本体１１から突出する先端流出部１３ａを直接視認して流量を確認しつつ、適度に絞られた粉粒物の流れを介して流量を精度良く制御しながら、粉粒物を計量筒部１５に好ましくは少量ずつ容易に流出させることが可能になる。さらに、本実施形態によれば、計量キャップ１４を本体キャップ１２に装着した際に、計量筒部１５の外周面を、本体キャップ１２の回収用凹部１８の密着筒状部１７や流出スパウト１３の一対の折曲り片部１３ｅに密着させると共に、天面部１９の内側面を流出スパウト１３の先端部に密着させることで、切欠き部分１３ｂ及び帯状開口部１８ｄによる流出合流開口部２１や先端流出部１３ａを強固に閉塞して、非使用時に内部の粉粒物が漏れ出ないようにすることが可能になる。さらにまた、回収用凹部１８に回収された粉粒物は、回収用凹部１８の底板部２０によって受けた状態から、例えば新たに容器本体１１から粉粒物を流出させるために、流出スパウト１３を下方に配置して容器本体１１を傾けた際に、切欠き部分１３ｂ及び帯状開口部１８ｄによる流出合流開口部２１を介して、流出スパウト１３を通過する粉粒物に合流させることで、再度スムーズに流出させることが可能になる。
【００２８】
なお、本発明は上記実施形態に限定されることなく種々の変更が可能である。例えば、回収用凹部を覆って本体キャップに着脱可能に装着されるキャップは、装着壁部と計量筒部とを備える計量キャップである必要は必ずしも無い。キャップが計量キャップである場合には、計量キャップの天面部の計量筒部と装着壁部との間の部分に環状リブが設けられている必要は必ずしも無い。また、流出スパウトは、略コの字状の部分を含んだ横断面形状以外の、略Ｕ字状や略Ｖ字状の部分を含んだ横断面形状等の、切欠き部分を備えるその他の種々の横断面形状を有していても良い。さらに、容器本体に収容されて計量される粉粒物は、各種の洗剤の他、食料品や各種の添加剤、薬品等であっても良い。
【符号の説明】
【００２９】
１０  粉粒物容器
１１  容器本体
１１ａ  口首部
１１ｂ  胴部
１１ｃ  肩部
１２  本体キャップ
１２ａ  装着スカート壁
１２ｂ  周縁部天面板
１２ｃ  外側段差スカート壁
１２ｈ  係着突部
１３  流出スパウト
１３ａ  先端流出部
１３ｂ  切欠き部分
１３ｃ  閉塞側部分
１３ｅ  折曲り片部
１４  計量キャップ
１５  計量筒部
１５ａ  先端側部分
１６  装着壁部
１６ａ  係止部
１７  本体キャップの天面部
１８  回収用凹部
１８ａ  傾斜壁部
１８ｂ  密着筒状部
１８ｃ  開口周縁部
１８ｄ  帯状開口部
１９  計量キャップの天面部
２０  回収用凹部の底板部
２１  流出合流開口部
２２  環状リブ
【図１】
2014005019.tif 000003
【図２】
2014005019.tif 000004
【図３】
2014005019.tif 000005
【図４】
2014005019.tif 000006
【図５】
2014005019.tif 000007